(57)【要約】【課題】サービス利用時における、ユーザが販売する商品の登録操作をより簡易化し、さらに、ユーザが販売する商品に対する適切な価格を設定してユーザに提供する。【解決手段】コンピュータの制御プログラムは、コンピュータに、出品ユーザと購入ユーザとの間の商品の取引に関する取引情報を記憶する記憶機能、出品ユーザの端末装置から送信された、当該商品に関する少なくとも１以上の画像情報を受信する受信機能、画像情報に基づき、商品を特定する特定機能、特定された商品に関する取引情報に基づき、当該商品の推奨販売価格を設定する設定機能、推奨販売価格に関する情報を出品ユーザの端末装置に送信する送信機能を実現させる。【選択図】図２
2019028544.tif 000002
【特許請求の範囲】
【請求項１】
コンピュータに、
出品ユーザと購入ユーザとの間の商品の取引に関する取引情報を記憶する記憶機能と、
商品を販売する出品ユーザの端末装置から送信された、当該商品に関する少なくとも１以上の画像情報を受信する受信機能と、
前記画像情報に基づき、前記出品ユーザが販売する商品を特定する特定機能と、
前記特定された商品に関する取引情報に基づき、当該商品の推奨販売価格を設定する設定機能と、
前記推奨販売価格に関する情報を前記出品ユーザの端末装置に送信する送信機能と、
を実現させるコンピュータの制御プログラム。
【請求項２】
前記記憶機能は、前記取引情報として、取引される商品に対する購入ユーザの興味指数を、当該商品と紐づけて記憶し、
前記設定機能は、前記特定された商品に対する興味指数の大小に応じて、当該商品の推奨販売価格を設定する、
ことを特徴とする請求項１に記載の制御プログラム。
【請求項３】
前記記憶機能は、前記取引情報として、出品ユーザに対する購入ユーザの評価情報、及び、出品ユーザの総取引額の少なくともいずれか一方を含む信用情報を記憶し、
前記設定機能は、前記出品ユーザの信用情報に応じて、当該商品の推奨販売価格を設定する、
ことを特徴とする請求項１または２に記載の制御プログラム。
【請求項４】
前記受信機能は、前記出品ユーザの端末装置から、販売する商品の分類情報を受信し、
前記送信機能は、前記分類情報に基づき、前記販売する商品の撮像すべき箇所を示す指示情報を、前記出品ユーザの端末装置に送信する、
ことを特徴とする請求項１〜３のいずれか一項に記載の制御プログラム。
【請求項５】
前記記憶機能は、前記商品が出品された出品日をさらに記憶し、
前記設定機能は、前記出品日から所定の日数経過後、当該商品が取引されていない場合、前記所定の日数経過時における取引情報に基づき、前記商品の推奨販売価格を設定する、
ことを特徴とする請求項１〜４のいずれか一項に記載の制御プログラム。
【請求項６】
前記受信機能は、前記商品を販売する出品ユーザから動画像情報を受信し、
前記特定機能は、前記動画像情報に含まれる少なくとも１以上の商品を特定し、
前記設定機能は、前記１以上の商品について、推奨販売価格を設定する、
ことを特徴とする請求項１〜５のいずれか一項に記載の制御プログラム。
【請求項７】
前記受信機能は、前記出品ユーザの端末装置から送信された前記商品の識別子をさらに受信し、
前記特定機能は、前記識別子に基づいて前記出品ユーザが販売する商品を特定する、
ことを特徴とする請求項１〜６のいずれか一項に記載の制御プログラム。
【請求項８】
前記受信機能は、前記特定された商品の市場における流通数を受信し、
前記設定機能は、前記流通数に基づき、当該商品の推奨販売価格を設定する、
ことを特徴とする請求項１〜７のいずれか一項に記載の制御プログラム。
【請求項９】
前記受信機能は、前記商品を販売する出品ユーザの端末装置から、前記商品の実販売価格を設定する設定情報を受信し、
前記設定機能は、前記設定情報に基づき、前記商品の実販売価格を設定する、
ことを特徴とする請求項１〜８のいずれか一項に記載の制御プログラム。
【請求項１０】
前記受信機能は、前記設定情報として、実販売価格の指定を受信し、
前記送信機能は、前記設定機能による推奨販売価格と、前記出品ユーザが指定する実販売価格との差が満たす所定の条件に応じた通知情報を、前記出品ユーザの端末装置へ送信する、
ことを特徴とする請求項９に記載の制御プログラム。
【請求項１１】
前記記憶機能は、前記商品が出品された出品日をさらに記憶し、
前記設定機能は、前記出品日から所定の日数経過後、当該商品が取引されていない場合、前記商品の推奨販売価格を前記商品の取引における最安値に設定し、
前記送信機能は、前記出品ユーザの入力操作に応じて前記実販売価格を前記最安値に設定する設定情報を当該ユーザの端末装置から送信させる情報を、前記出品ユーザの端末装置に送信する、
ことを特徴とする請求項９又は１０に記載の制御プログラム。
【請求項１２】
コンピュータが、
出品ユーザと購入ユーザとの間の商品の取引に関する取引情報を記憶する記憶ステップと、
商品を販売する出品ユーザの端末装置から送信された、当該商品に関する少なくとも１以上の画像情報を受信する受信ステップと、
前記画像情報に基づき、前記出品ユーザが販売する商品を特定する特定ステップと、
前記特定された商品に関する取引情報に基づき、当該商品の推奨販売価格を設定する設定ステップと、
前記推奨販売価格に関する情報を前記出品ユーザの端末装置に送信する送信ステップと、
を含むコンピュータの制御方法。
【請求項１３】
出品ユーザと購入ユーザとの間の商品の取引に関する取引情報を記憶する記憶部と、
商品を販売する出品ユーザの端末装置から送信された、当該商品に関する少なくとも１以上の画像情報を受信する受信部と、
前記画像情報に基づき、前記出品ユーザが販売する商品を特定する特定部と、
前記特定された商品に関する取引情報に基づき、当該商品の推奨販売価格を設定する設定部と、
前記推奨販売価格に関する情報を前記出品ユーザの端末装置に送信する送信部と、
を備えるコンピュータ。
【請求項１４】
端末装置に、
ユーザの入力操作を受け付ける入力機能と、
前記ユーザが出品する商品に関する少なくとも１以上の画像情報を送信する送信機能と、
前記画像情報に基づき特定された商品に関する取引情報に基づき設定された、当該商品の推奨販売価格に関する情報を受信する受信機能と、
を実現させ、
前記送信機能は、前記商品の実販売価格を設定する設定情報を送信し、
前記受信機能は、前記商品が出品された出品日から所定の日数経過後、当該商品が取引されていない場合に、前記入力操作に応じて、当該商品の実販売価格を、前記商品の取引における最安値に設定する設定情報を前記端末装置から送信させる情報を受信する、端末装置の制御プログラム。
【請求項１５】
ユーザの入力操作を受け付ける入力部と、
前記ユーザが出品する商品に関する少なくとも１以上の画像情報を送信する送信部と、
前記画像情報に基づき特定された商品に関する取引情報に基づき設定された、当該商品の推奨販売価格に関する情報を受信する受信部と、
を備え、
前記送信部は、前記商品の実販売価格を設定する設定情報を送信し、
前記受信部は、前記商品が出品された出品日から所定の日数経過後、当該商品が取引されていない場合に、前記入力操作に応じて、当該商品の実販売価格を、前記商品の取引における最安値に設定する設定情報を送信させる情報を受信する、端末装置。
【発明の詳細な説明】
【技術分野】
【０００１】
本発明は、コンピュータの制御プログラム、制御方法、コンピュータ、端末装置の制御プログラムおよび端末装置に関し、特にユーザ間の商品取引において販売される商品の、適切な価格を推定するコンピュータの制御プログラム、制御方法、コンピュータ、端末装置の制御プログラムおよび端末装置に関する。
【背景技術】
【０００２】
近年、個人間で物の売買等の商品取引を行うＣｔｏＣ（Customer to Customer）のサービスを提供するプラットフォームが増加している（例えば、特許文献１）。サービスを利用して商品を販売する、すなわち出品するユーザは、販売する商品に価格を設定する必要があるが、価格によっては、商品が売れない、又は利益が出ないという問題がある。
【０００３】
また、ユーザは、サービスを利用して商品を販売する際に、商品の名称、説明、カテゴリ、ブランド、状態といった商品情報をユーザ自身で登録する必要があり、手間であった。
【先行技術文献】
【特許文献】
【０００４】
【特許文献１】特開２０１４−１１５９１２公報
【発明の概要】
【発明が解決しようとする課題】
【０００５】
本発明は、上記問題を鑑みてなされたものであり、サービス利用時における、ユーザが販売する商品の登録操作をより簡易化し、さらに、ユーザが販売する商品に対する適切な価格を設定してユーザに提供可能な、コンピュータの制御プログラム、制御方法、コンピュータ、端末装置の制御プログラムおよび端末装置を提供することを目的とする。
【課題を解決するための手段】
【０００６】
上述の問題を解決すべく、本発明の一態様に係るコンピュータの制御プログラムは、コンピュータに、出品ユーザと購入ユーザとの間の商品の取引に関する取引情報を記憶する記憶機能と、商品を販売する出品ユーザの端末装置から送信された、当該商品に関する少なくとも１以上の画像情報を受信する受信機能と、画像情報に基づき、出品ユーザが販売する商品を特定する特定機能と、特定された商品に関する取引情報に基づき、当該商品の推奨販売価格を設定する設定機能と、推奨販売価格に関する情報を出品ユーザの端末装置に送信する送信機能とを実現させてもよい。
【０００７】
また、本発明の一態様に係るコンピュータの制御プログラムにおいて、記憶機能は、取引情報として、取引される商品に対する購入ユーザの興味指数を、当該商品と紐づけて記憶し、設定機能は、特定された商品に対する興味指数の大小に応じて、当該商品の推奨販売価格を設定してもよい。
【０００８】
また、本発明の一態様に係るコンピュータの制御プログラムにおいて、記憶機能は、取引情報として、出品ユーザに対する購入ユーザの評価情報、及び、出品ユーザの総取引額の少なくともいずれか一方を含む信用情報を記憶し、設定機能は、出品ユーザの信用情報に応じて、当該商品の推奨販売価格を設定してもよい。
【０００９】
また、本発明の一態様に係るコンピュータの制御プログラムにおいて、受信機能は、出品ユーザの端末装置から、販売する商品の分類情報を受信し、送信機能は、分類情報に基づき、販売する商品の撮像すべき箇所を示す指示情報を、出品ユーザの端末装置に送信してもよい。
【００１０】
また、本発明の一態様に係るコンピュータの制御プログラムにおいて、記憶機能は、商品が出品された出品日をさらに記憶し、設定機能は、出品日から所定の日数経過後、当該商品が取引されていない場合、所定の日数経過時における取引情報に基づき、商品の推奨販売価格を設定してもよい。
【００１１】
また、本発明の一態様に係るコンピュータの制御プログラムにおいて、受信機能は、商品を販売する出品ユーザから動画像情報を受信し、特定機能は、動画像情報に含まれる少なくとも１以上の商品を特定し、設定機能は、１以上の商品について、推奨販売価格を設定してもよい。
【００１２】
また、本発明の一態様に係るコンピュータの制御プログラムにおいて、受信機能は、前記出品ユーザの端末装置から送信された商品の識別子をさらに受信し、特定機能は、識別子に基づいて出品ユーザが販売する商品を特定してもよい。
【００１３】
また、本発明の一態様に係るコンピュータの制御プログラムにおいて、受信機能は、特定された商品の市場における流通数を受信し、設定機能は、流通数に基づき、当該商品の推奨販売価格を設定してもよい。
【００１４】
また、本発明の一態様に係るコンピュータの制御プログラムにおいて、受信機能は、商品を販売する出品ユーザの端末装置から、商品の実販売価格を設定する設定情報を受信し、設定機能は、設定情報に基づき、商品の実販売価格を設定してもよい。
【００１５】
また、本発明の一態様に係るコンピュータの制御プログラムにおいて、受信機能は、設定情報として、実販売価格の指定を受信し、送信機能は、設定機能による推奨販売価格と、出品ユーザが指定する実販売価格との差が満たす所定の条件に応じた通知情報を、出品ユーザの端末装置へ送信してもよい。
【００１６】
また、本発明の一態様に係るコンピュータの制御プログラムにおいて、記憶機能は、商品が出品された出品日をさらに記憶し、設定機能は、出品日から所定の日数経過後、当該商品が取引されていない場合、商品の推奨販売価格を商品の取引における最安値に設定し、送信機能は、出品ユーザの入力操作に応じて実販売価格を最安値に指定する指定情報を当該ユーザの端末装置から送信させる情報を、出品ユーザの端末装置に送信してもよい。
【００１７】
上記の課題を解決すべく、本発明の一態様に係るコンピュータの制御方法は、コンピュータが、出品ユーザと購入ユーザとの間の商品の取引に関する取引情報を記憶する記憶ステップと、商品を販売する出品ユーザの端末装置から送信された、当該商品に関する少なくとも１以上の画像情報を受信する受信ステップと、画像情報に基づき、出品ユーザが販売する商品を特定する特定ステップと、特定された商品に関する取引情報に基づき、当該商品の推奨販売価格を設定する設定ステップと、推奨販売価格に関する情報を出品ユーザの端末装置に送信する送信ステップとを含む。
【００１８】
上記の課題を解決すべく、本発明の一態様に係るコンピュータは、出品ユーザと購入ユーザとの間の商品の取引に関する取引情報を記憶する記憶部と、商品を販売する出品ユーザの端末装置から送信された、当該商品に関する少なくとも１以上の画像情報を受信する受信部と、画像情報に基づき、出品ユーザが販売する商品を特定する特定部と、特定された商品に関する取引情報に基づき、当該商品の推奨販売価格を設定する設定部と、推奨販売価格に関する情報を出品ユーザの端末装置に送信する送信部とを備える。
【００１９】
上記の課題を解決すべく、本発明の一態様に係る端末装置の制御プログラムは、端末装置に、ユーザの入力操作を受け付ける入力機能と、ユーザが出品する商品に関する少なくとも１以上の画像情報を送信する送信機能と、画像情報に基づき特定された商品に関する取引情報に基づき設定された、当該商品の推奨販売価格に関する情報を受信する受信機能と、を実現させ、送信機能は、商品の実販売価格を設定する設定情報を送信し、受信機能は、商品が出品された出品日から所定の日数経過後、当該商品が取引されていない場合に、入力操作に応じて、当該商品の実販売価格を、商品の取引における最安値に設定する設定情報を端末装置から送信させる情報を受信する。
【００２０】
上記の課題を解決すべく、本発明の一態様に係る端末装置は、ユーザの入力操作を受け付ける入力部と、ユーザが出品する商品に関する少なくとも１以上の画像情報を送信する送信部と、画像情報に基づき特定された商品に関する取引情報に基づき設定された、当該商品の推奨販売価格に関する情報を受信する受信部と、を備え、送信部は、商品の実販売価格を設定する設定情報を送信し、受信部は、商品が出品された出品日から所定の日数経過後、当該商品が取引されていない場合に、入力操作に応じて、当該商品の実販売価格を、商品の取引における最安値に設定する設定情報を送信させる情報を受信する。
【発明の効果】
【００２１】
本発明によれば、ユーザが販売する商品の登録操作をより簡易化し、ユーザが販売する商品に対する適切な価格を設定してユーザに提供可能な、コンピュータの制御プログラム、制御方法およびコンピュータを提供することができる。
【図面の簡単な説明】
【００２２】
【図１】本発明の一実施態様によるサービスシステム構成の概略図である。
【図２】本発明の一実施態様による端末装置及びサーバのブロック図の一例である。
【図３】本発明の一実施態様による、記憶部に記憶される商品情報の一例である。
【図４】本発明の一実施態様による、記憶部に記憶される取引情報の一例である。
【図５】（ａ）は、本発明の一実施態様による、販売価格の設定を説明する概略図、（ｂ）は、端末装置の画面例である。
【図６】本発明の一実施態様による、コンピュータの処理を示すフローチャートである。
【図７】本発明の一実施態様による、端末装置の画面例である。
【図８】本発明の一実施態様による、端末装置の画面例である。
【図９】本発明の一実施態様による、端末装置の画面例である。
【発明を実施するための形態】
【００２３】
以下、諸図面を参照しながら、本発明の一実施態様を詳細に説明する。図１は、本発明の一実施形態によるサービスシステム構成の概略図である。サービスシステム５００は、ＣｔｏＣでの商品取引を提供するサービスシステムであり、例えばフリーマーケットサービスのように、個人間で商品の売買を行う場をネットワーク上に実現するサービスシステムである。サービスシステム５００は、図１に示すように、サーバ１００、端末装置２００Ａ，２００Ｂ，２００Ｃ、ネットワーク４００を含む。
【００２４】
サーバ（コンピュータ）１００は、サービス側のサーバであり、ネットワーク４００を介して端末装置２００Ａ〜２００Ｃと接続される。端末装置２００Ａ〜２００Ｃは通信端末であって、図ではスマートフォンを示してあるが、タブレット、ＰＣ（Personal Computer）といった、ネットワークへ接続可能な端末装置であればどのようなものでもよい。なお、端末装置２００Ａ〜２００Ｃには、サービス側が提供し、サービスを利用するためのアプリケーションソフト（以降、「アプリ」とも称する）がダウンロードされてもよいが、アプリを用いず、ウェブブラウザ上でサービスを利用することもできる。ここで、端末装置２００Ａは、商品を販売、すなわち出品する出品ユーザの端末装置であり、出品ユーザが、時計３００を出品しているものとする。また、端末装置２００Ｂ，２００Ｃは、サービスを利用する他のユーザの端末装置である。他のユーザは、端末装置２００Ｂ，２００Ｃを用いて、ネットワーク４００を介して、サービス上に出品された商品を閲覧したり、購入したりすることができる。なお、図１において、説明を簡単にするために端末装置は３台示してあるが、これ以上存在してもよいことは言うまでもない。
【００２５】
ここで、サービスシステム５００利用時の、端末装置２００Ｂの表示画面例を、図１を用いて説明する。端末装置２００Ｂの表示画面２５０Ｂには、出品された商品の画像、商品の名称、説明といった商品情報とともに、いいね！ボタン２５１、コメントボタン２５２、購入ボタン２５３が表示される。商品を閲覧したユーザは、いいね！ボタン２５１を選択し、ユーザ自身が当該商品に興味を有することを示すことができる。従って、いいね！ボタンを選択したユーザ数（図の例では４人）は、当該商品への興味指数を示す。なお、その他の興味指数として、図示しない「お気に入り」ボタンを選択したユーザ数、当該商品の閲覧数、コメント数等が含まれてもよい。また、コメントボタン２５２が選択された場合、端末装置２００Ｂは、表示画面２５０Ｂに、コメントを記入可能な画面を表示させ、ユーザからのコメントの記入を受け付ける。なお、購入ボタン２５３が選択された場合、端末装置２００Ｂは、表示画面２５０Ｂに商品の購入画面を表示させる。以上が、本発明の一実施形態に係るサービスシステムの概要である。
【００２６】
図２は、本発明の一実施形態によるサーバ１００及び端末装置２００のブロック図である。なお、端末装置として特に区別する必要が無い場合は、端末装置２００Ａ〜２００Ｃを、端末装置２００として説明する。図２に示すように、サーバ１００は、通信部１１０、記憶部１２０及び制御部１３０を備える。詳細は後述するが、これら各部の機能を簡単に説明する。
【００２７】
通信部１１０は、受信部１１１および送信部１１２を備え、制御部１３０からの指示に従って、ネットワーク４００を介して、出品ユーザの端末装置２００Ａや、商品の購入を検討する他のユーザの端末装置２００Ｂ，２００Ｃとの通信（各種データの送受信）を実行する機能を有する。例えば、受信部１１１は、商品を販売する出品ユーザの端末装置２００Ａから送信された、当該商品に関する少なくとも１以上の画像情報、及び、動画像情報の少なくともいずれか１つを受信する。さらに、受信部１１１は、商品の市場における流通数を取得したり、出品ユーザの端末装置２００Ａから送信された、販売する商品の分類情報や、商品の識別子を受信したりする。また、送信部１１２は、販売価格に関する情報を、出品ユーザの端末装置２００Ａに送信する。当該通信は、有線、無線のいずれで実行されてもよく、互いの通信が実行できるのであれば、どのような通信プロトコルを用いてもよい。
【００２８】
制御部１３０は、サーバ１００の各部を制御する機能を有するプロセッサである。制御部１３０は、特定部１３１、設定部１３２、判定部１３３及び情報処理部１３４を備える。特定部１３１は、受信部１１１によって受信された画像情報に基づき、出品ユーザが販売する商品を特定する。設定部１３２は、特定された商品に関する取引情報に基づき、当該商品の推奨販売価格を設定する。また、設定部１３２は、特定された商品に対する興味指数の大小、及び、出品ユーザの信用情報の少なくともいずれかに応じて、商品の推奨販売価格を設定する。判定部１３３は、各種判定処理を行う。情報処理部１３４は、端末装置２００の表示画面に表示させるための表示情報を作成する。
【００２９】
記憶部１２０は、典型的には、ＨＤＤ（Hard Disc Drive）、ＳＳＤ（Solid State Drive）、フラッシュメモリなど各種の記録媒体により実現され、サーバ１００が動作するうえで必要とする各種プログラムおよびデータを記憶する機能を有する。記憶部１２０は、各ユーザから出品される商品に関する商品情報を記憶（格納）する。なお、商品情報には、上述の商品の名称等のほか、出品ユーザに関するユーザ情報が含まれる。また、記憶部１２０は、出品ユーザと購入ユーザとの間の商品の取引に関する取引情報を記憶する。なお、記憶部１２０は、取引情報として、取引される商品に対する購入ユーザの興味指数を、当該商品と紐づけて記憶する。さらに、記憶部１２０は、取引情報として、出品ユーザに対する購入ユーザの評価情報、及び、出品ユーザの総取引額の少なくともいずれか一方を含む信用情報を記憶する。また、商品に対して興味を示したユーザに関するユーザ情報を記憶する。なお、記憶部１２０は、サーバ１００の内部メモリに限られず、外部メモリであっても、クラウド等のネットワークを介して接続されているメモリであってもよいことは言うまでもない。
【００３０】
次に、端末装置２００について説明する。なお、本実施形態おいて、出品ユーザの端末装置２００Ａと他のユーザの端末装置２００Ｂ，２００Ｃに差異はなく、サービスにアクセス可能であれば、同一の機能ブロックを有するもので良い。
【００３１】
図２に示すように、端末装置２００は、通信部２１０、記憶部２２０、制御部２３０、入力受付部２４０、表示部２５０、撮像部２６０及び音声インタフェース（Ｉ／Ｆ）２７０及びスピーカ２８０を備える。
【００３２】
通信部２１０は、受信部２１１及び送信部２１２を備え、ネットワーク４００を介して、サーバ１００との通信を実行する機能を有する。当該通信は、有線、無線のいずれで実行されてもよく、また、互いの通信が実行できるのであれば、どのような通信プロトコルを用いてもよい。
【００３３】
記憶部２２０は、端末装置２００が動作するうえで必要とする各種プログラムや各種データを記憶する機能を有する。例えば、記憶部２２０には、本実施形態に係るサービスを享受するのに必要なプログラム等の情報が含まれる。なお、記憶部２２０は、典型的には、ＨＤＤ、ＳＳＤ、フラッシュメモリなど各種の記録媒体により実現される。
【００３４】
入力受付部２４０は、ユーザからの入力を受け付けて、当該入力に係る情報を、制御部２３０に伝達する。端末装置２００において、入力受付部２４０は、タッチパネルなどにより実現され、ユーザの指やスタイラスなどの指示具による接触とその接触位置を検出し、接触位置の座標を情報処理部２３１に伝達する。本実施形態において、入力受付部２４０は、ユーザによる購入する商品の選択や、商品に対して興味を有する事を示すいいね！ボタン２５１や、購入ボタン２５３が選択されたことを受け付ける。また、ユーザによるコメントの記入を受け付ける。また、入力受付部２４０は、商品の実販売価格を指定する指定情報を送信するためのボタンの選択や、商品の実販売価格を指定する入力操作を受け付ける。
【００３５】
制御部２３０は、端末装置２００の各部を制御する機能を有するプロセッサである。制御部２３０は、情報処理部２３１、表示処理部２３２及び判定部２３３を含む。情報処理部２３１は、入力受付部２４０から入力された情報にしたがって、通信部２１０からサーバ１００に情報を送信するように制御する機能を有する。また、情報処理部２３１は、通信部２１０でサーバ１００から受信した情報を、表示処理部２３２に伝達する機能も有する。表示処理部２３２は、情報処理部２３１から伝達された表示用のデータを画素情報に変換し、表示部２５０のフレームバッファに書き込む機能を有する。
【００３６】
表示部２５０は、表示処理部２３２によりフレームバッファに書き込まれた表示データに従って、画像を表示する機能を有するモニタであり、典型的には液晶ディスプレイで実現される。表示部２５０は、ネットワーク４００を介してサーバ１００から受信する、サービス上で販売されている商品を表示する。また、表示部２５０は、サーバ１００から送信された通知を表示する。撮像部２６０は、出品する商品の静止画像や動画像を撮影する。音声Ｉ／Ｆ２７０は、スピーカ２８０や図示しないイヤホンのインタフェースである。スピーカ２８０は、サーバ１００から通知を受信した場合に、通知音を発するように設定されてもよい。
【００３７】
これ以降、商品の取引に関する取引情報に基づき、推奨販売価格が設定され、ユーザへ提示される実施形態について説明する。
【００３８】
まず、サーバ１００の記憶部１２０に記憶される各情報について、図を用いて説明する。図３は、記憶部１２０に記憶される取引情報のテーブルの一例を示す図である。テーブルＴＢＬ１０は、ユーザが出品する商品毎に作成され、図の例では、ユーザＡに対するテーブルであるとする。図に示すように、テーブルＴＢＬ１０には、ユーザＡが出品した商品（商品ＩＤ(Identifier)）毎に、商品を出品した出品日（すなわち、サービス上で販売を開始した日）、商品に対して興味を示したユーザの数（すなわち、いいね！アイコンが選択されたいいね数）、お気に入りとして登録された数、及びコメント数等の興味指数、現在価格、出品時から商品価格が更新されている場合、価格の更新日、並びに更新数等が記憶される。なお、図示していないが、商品を特定付ける商品情報（名称、カテゴリ、画像、年式、詳細コメント等）が、商品ＩＤに紐づけられて記憶部１２０に記憶されている。
【００３９】
図４は、記憶部１２０に記憶される他の取引情報のテーブルの一例を示す図である。テーブルＴＢＬ２０は、ユーザ毎に作成され、ユーザ毎に、サービス登録日（サービスの利用を開始した日）と、出品ユーザとしての情報（現在までの出品数、取引が成立した数（販売数）、総販売額）、購入ユーザとしての情報（購入数、総購入額）が記憶される。さらに、記憶部１２０には、少なくとも出品ユーザに対する購入ユーザの評価情報が記憶される。ここで、評価情報とは、ユーザが他のユーザによってどのように評価されているかを示す情報であり、例えば取引成立後に、出品ユーザの商品を購入した購入ユーザに対し、数値的又は予め設定された段階を用いて互いを審査させた情報である。
【００４０】
この様に、本サービスシステムによれば、サービスを利用するユーザの数、及び、各ユーザが出品した商品数に比して、商品がいくらであれば売れるかといった価格の傾向、どの様な商品が興味を持たれやすいかといった動向、季節や時期に応じた商品の出品や売れ行きの動向が多数蓄積される。さらに、出品ユーザが出品した商品の画像情報と、商品の名称、カテゴリといった商品情報とが対応付けられたデータが、多数蓄積されていく。本発明の一実施形態では、当該蓄積された商品情報と画像情報との対応付けを用いて、出品ユーザの出品操作にかかる煩雑さを解消することができる。以下、詳細に説明する。
【００４１】
上述のように、サーバ１００の記憶部１２０には、取引された商品の商品情報と画像情報との対応付けが蓄積されているため、本発明の一実施形態では、出品ユーザが新たに商品を出品する際に、当該出品ユーザから送信された商品の画像情報に基づき、出品ユーザが販売する商品が特定される。このことを、図５を用いて説明する。図５（ａ）に示すように、出品ユーザの端末装置２００Ａの送信部１１２から、複数の画像ＰＩＣ１０〜ＰＩＣ３０がサーバ１００へ送信される（ＩＮＦ１０）。なお、画像は特に限定されるものではないが、商品の正面画像、背面画像、拡大画像等、商品の特定に資する画像が複数送信されることが好ましい。
【００４２】
サーバ１００の特定部１３１は、受信した画像情報に含まれる商品を特定する。商品の特定には、既知の機械学習による画像認識の手法が用いられてもよい。この場合、記憶部１２０に格納された複数の画像情報と商品情報との対応付けが、学習データとして用いられる。特定部１３１は、少なくとも、出品ユーザが販売する商品の種類（腕時計、車、服、おもちゃ等のカテゴリ）を特定する。特定部１３１は、さらに、商品情報として、商品のブランド、商品の状態（傷や汚れの有無等）、年式が特定できてもよい。
【００４３】
次に、設定部１３２が、特定された商品に関する取引情報に基づき、当該商品の推奨販売価格を設定する。ここで、「特定された商品に関する取引情報」とは、特定部１３１によって特定された商品そのものではなく、「特定された商品に関連する商品に関する取引情報」であってよい。すなわち、設定部１３２は、特定部１３１によって特定された商品の概念（種類、品目）よりも同等又は上位の概念に基づいた情報を記憶部１２０から取得し、推奨販売価格を設定する。例えば、特定された商品が「ブランドＸＹＺの腕時計」であった場合、設定部１３２は、「ブランドＸＹＺの腕時計」のみに限らず、「腕時計」に関する取引情報や、「ブランドＸＹＺ」に関する取引情報を記憶部１２０から取得する。また、「取引情報」とは、特定された商品及び特定された商品に関連する商品に対するユーザの興味指数、特定された商品及び特定された商品に関連する商品の取引価格を少なくとも含んでよい。
【００４４】
例えば、取引情報として興味指数を用いる場合、設定部１３２は、特定された商品に関連する商品毎の興味指数に基づき、興味指数が所定値よりも多い場合に、所定値よりも少ない場合と比べ、推奨販売価格を高く設定する。なお、当該所定値は、予め記憶部に設定されても良いし、機械学習によって更新されてもよい。なお、興味指数としては、上述のようにいいね！数、お気に入り登録数、閲覧数、コメント数等のうち少なくとも１つを用いることができる。
【００４５】
また、取引情報として取引価格を用いて、設定部１３２は、特定された商品に関連する商品毎に取引価格（すなわち、取引が成立して実際に支払われた金額）を記憶部１２０から取得し、推奨販売価格を設定する。取引価格に基づく推奨販売価格の設定は、取引価格の平均値の算出や、既知の統計手法を用いて行われてもよい。
【００４６】
なお、取引情報として出品ユーザのユーザ情報を用いて、設定部１３２によって設定された販売価格の補正が行われても良い。例えば、設定部１３２によって推奨販売価格の設定後、又は推奨販売価格の設定の際に、出品ユーザのユーザ情報に基づき、出品ユーザの評価情報が良い場合に推奨販売価格を低く補正したり、総販売額が多い場合に、推奨販売価格を高く補正してもよい。
【００４７】
サーバ１００によって、商品情報（ＩＮＦ２０）、取引情報（ＩＮＦ３０）に基づいて設定された販売価格に関する価格情報は、端末装置２００Ａへ送信される（ＩＮＦ５０）。そして、端末装置２００Ａにおいては、図５（ｂ）に示すように、端末装置２００Ａの表示処理部２３２Ａが、受信した価格情報に基づき、出品する商品の推奨販売価格を、通知１０として表示する表示情報を出力する。出品ユーザは、推奨販売価格を実際の販売価格である実販売価格として決定する場合には、決定ボタン１２を選択し、推奨販売価格を実販売価格として決定せず、例えば出品ユーザ自身が実販売価格を設定する場合は、変更ボタン１１を選択すればよい。この様な、実販売価格を設定する設定情報として、決定ボタン１２の選択や、出品ユーザ自身の入力受付部２４０を介した実販売価格の指定は、サーバ１００へ送信される。サーバ１００の設定部１３２は、出品ユーザの端末装置２００Ａから上記設定情報を受信すると、当該指定情報に基づき、商品の実販売価格を設定する。
【００４８】
上述のように、本発明の一実施態様によれば、出品される商品の画像情報に基づいて、当該商品が特定される。従って、出品操作の際のユーザの操作を軽減でき、利便性を高めることができる。さらに当該商品の推奨販売価格が、当該商品又は当該商品の関連商品の取引情報に基づいて設定され、推奨販売価格として出品ユーザに提示される。従って、出品ユーザの実販売価格の設定にかかる負荷を減らし、さらに、より取引が成立する可能性が高い販売価格を設定することが可能となる。
【００４９】
なお、上述の実施形態では、商品情報ＩＮＦ２０と取引情報ＩＮＦ３０とに基づいて、推奨販売価格が設定される態様について説明した。しかしながら、推奨販売価格の設定には、市場価格、流通数、社会情勢といった、価格に影響を及ぼす要素を用いた補正が行われても良い。例えば、ネットワーク上の外部メモリ６２０等に、予め上記の情報を蓄積しておき、価格設定の際に、設定部１３２によって当該情報が用いられてもよい。例えば、各要素に対する重みづけを予め記憶部１２０に格納しておき、価格設定の際の補正係数が算出されてもよい。これにより、より市場の傾向に則した価格を設定させることができる。
【００５０】
次に、上述した本発明の一実施形態による制御方法について、図を用いて説明する。図６は、上述の制御のフローチャートである。まず、端末装置２００Ａから、画像情報が送信される（ステップＳ２１）サーバ１００の特定部１３１は、画像情報に基づき、出品される商品を特定する（ステップＳ２２）。次に、サーバ１００の設定部１３２は、特定された商品に関する取引情報に基づき、推奨販売価格を設定する（ステップＳ２３）。そして、サーバ１００の送信部１１２から、推奨販売価格に関する情報が送信される（ステップＳ２４）。その後、端末装置２００Ａの表示部２５０Ａには、推奨販売価格に関する通知が表示され、出品ユーザからの選択を受け付ける。そして、端末装置２００Ａの入力受付部２４０によって受け付けられた出品ユーザの選択に応じて、実販売価格が設定され、サーバ１００へ送信される（ステップＳ２５）。
【００５１】
なお上述では、端末装置２００Ａの撮像部２６０において、出品される商品の画像が予め撮像され、出品開始時に、当該予め撮像されていた画像情報が送信される態様について説明した。しかしながら、出品ユーザから、入力受付部２４０を介して出品する商品のカテゴリに関する分類情報が入力され、当該分類情報に基づき、出品する商品の撮像すべき箇所を示す指示情報が、端末装置２００Ａの表示部２５０Ａに表示されてもよい。このことを、図７を用いて説明する。
【００５２】
図７（ａ）のように、出品処理の開始時に、表示部２５０Ａに、商品のカテゴリを選択させる表示２０が表示され、出品ユーザから、カテゴリ一覧２１のカテゴリの選択を受け付ける。その後、撮像部（カメラ）２６０が起動され、選択されたカテゴリ毎に、撮像すべき箇所を示す情報が出品ユーザに提示される。当該情報は、例えば、図７（ｂ）に示す「正面の写真を撮影して下さい」といったメッセージ２２や、ガイド２４であってもよいし、音声によるメッセージであってもよい。また、続けて図７（ｃ）のように、「背面の写真を撮影して下さい」と言ったメッセージ２５やガイド２６が示されても良い。これは、カテゴリ毎に撮像すべき箇所に関する情報を予め記憶部１２０に記憶しておき、ユーザからの選択に応じて、表示処理部２３２によってメッセージやガイドが出力されてもよい。なお、撮像すべき箇所は、例えば腕時計であれば文字盤の正面や背面、書籍であれば、ＩＳＤＮバーコード等、商品の個体を特徴付ける情報が示されている箇所が好ましい。
【００５３】
上述の実施態様によれば、出品ユーザに、撮像すべき箇所を示す通知が提示される。従って、ユーザの手間を低減できるとともに、画像情報による商品の特定の精度を上げることが可能となる。
【００５４】
なお、出品ユーザ自身が出品する商品の実販売価格を指定し、指定する実販売価格に関する設定情報が端末装置２００Ａからサーバ１００へ送信された際に、当該指定する実販売価格と、サーバ１００の設定部１３２による推奨販売価格との関係に応じた通知情報が、サーバ１００から端末装置２００Ａへ送信されてもよい。まず、端末装置２００Ａから、指定された実販売価格に関する設定情報が送信された場合、サーバ１００の判定部１３３は、設定部１３２によって設定された推奨販売価格と、指定された実販売価格との差が、所定の条件を満たすか否かを判定する。なお、所定の条件とは、推奨販売価格と指定された実販売価格との差が、所定の値以上であるとの条件であってもよい。情報処理部１３４は、所定の条件を満たす場合、上述の処理で設定部１３２によって設定された推奨販売価格を、端末装置２００Ａの表示部２５０Ａに表示させる表示情報を作成し、送信部１１２から送信してもよい。これは例えば、図８に示すように、推奨販売価格を示す通知３０によって実現される。これにより、出品する商品の適当な値を出品ユーザに提示することができ、取引が成立する可能性を高めることができる。
【００５５】
なお、上述では、出品手続時に推奨販売価格が設定される態様について説明したが、出品後に、推奨販売価格の再設定が行われても良い。図３に示すように、取引情報テーブルＴＢＬ１０には、出品日の情報が格納される。判定部１３３は、当該情報を用いて、商品の出品日から所定の日数が経過したか否かを判定する。判定部１３３によって、商品の出品日から所定の日数が経過したと判定された場合、設定部１３２は、所定の日数経過時における取引情報に基づいて、上述の処理によって推奨販売価格を再設定（更新）する。なお、所定の日数は、予め出品ユーザによって設定されていてもよいし、興味指数に応じて、例えばいいね！やコメントの数の推移に応じて、所定の日数が設定されてもよい。推奨販売価格に関する情報は、出品ユーザの端末装置２００Ａへ送信され、出品ユーザは、推奨販売価格に基づいて実販売価格を現状に則した値とすることができ、取引が成立する可能性を高めることができる。
【００５６】
さらに、商品の出品日から所定の日数経過後もその商品が取引されていない（すなわち、購入されていない）場合、出品ユーザに対し、当該商品の最安値に関する情報が送信されてもよい。この場合の、まず、設定部１３２が、記憶部１２０に格納された取引情報に基づき、商品の推奨販売価格を当該商品の現在又は過去の最安値に設定する。現在の最安値とは、出品されているものの、未だ購入されていない同一又は類似の複数の商品のうちの最安値をいう。過去の最安値とは、出品された同一又は類似の複数の商品のうち、既に購入されたものの最安値をいう。最安値に関する情報は、出品ユーザの端末装置２００Ａへ送信され、表示部２５０に表示される。これは例えば、図９に示すように、最安値を示す通知４０によって実現される。なお、通知は、図９のようにポップアップ通知でもよいし、アプリを立ち上げた際に表示されてもよい。また、最安値に関する情報は、表示部２５０へ表示させる形式に限らず、メールの形式で送信されてもよいし、音声で通知されるように送信されてもよい。また、出品ユーザの入力操作に応じて実販売価格を最安値に設定する設定情報を、出品ユーザの端末装置２００Ａから送信させる情報は、端末装置２００Ａに送信される。これは例えば、図
９に示す通知４０内の「Ｙｅｓ」ボタン４１によって実現される。これにより、出品する商品の適当な値を出品ユーザに提示することができ、取引が成立する可能性を高めることができる。さらに、簡単な操作で、実販売価格の最安値への更新が可能であるため、ユーザにとって利便性が高い。
【００５７】
なお、上述では、出品ユーザが販売する商品の特定に、写真（静止画像）が用いられる態様について説明した。しかしながら、商品の特定には、動画像情報が用いられても良い。これにより、出品ユーザの出品手続における利便性をさらに高めることができる。
【００５８】
また、商品の特定に用いられる情報としては、画像情報、動画像情報に限られるものではなく、商品の識別子であってもよい。例えば、パソコンであれば型番、書籍であればＩＳＢＮ（International Standard Book Number）等が、テキスト情報にてサーバ１００に送信されてもよい。
【００５９】
本発明に係る発明の一実施形態を説明したが、本発明はこれに限られないことは言うまでもない。例えば、上述では、取引情報、商品情報等がサーバ１００の記憶部１２０に記憶される態様について説明したが、それら各種情報は、サーバ１００とは別のメモリにデータベースとして記憶されてもよい。また、端末装置は、スマートフォンに限るものでない。端末装置は、上記実施の形態において記載した機能を実現できる情報処理装置であればどのような装置であってもよく、例えば、ノートパソコン、携帯電話、ウェアラブル端末（眼鏡型、腕時計型、ヘッドセット型等）、デスクトップパソコン等であってもよい。
【００６０】
また、上述では、個人間で商品の売買が行われる態様について説明した。しかしながら、法人（企業、店舗等）と個人との間で商品の売買が行われてもよい。
【００６１】
また、上述では、複数のユーザによるサービスの利用によって蓄積された情報が、商品の特定の際の学習データとして用いられる態様について説明した。しかしながら、本発明はこれに限られるものではなく、例えばある店舗が取り扱う商品のデータベース等、他のデータベースが用いられてもよい。
【００６２】
また、上述では、商品を販売する出品ユーザの端末装置２００Ａから、商品の実販売価格を設定する設定情報として、所定のボタンの選択や、実販売価格の指定を受信する態様について説明した。しかしながら、設定情報として、実販売価格を推奨販売価格に設定するとの選択や、推奨販売価格から所定の価格分上乗せした価格に設定するとの選択が、あらかじめ出品ユーザによって行われていてもよい。また、上述では、出品ユーザの入力操作に応じて実販売価格を最安値に設定する設定情報を、出品ユーザの端末装置２００Ａから送信させる情報が、ボタン４１によって実現される態様について説明した。しかしながら、設定情報を出品ユーザの端末装置２００Ａから送信させる情報は、音声によって実現されてもよい。例えば、出品ユーザの音声による指示によって、設定情報がサーバ１００へ送信されてもよい。
【００６３】
サーバ１００の各機能部は、集積回路（ＩＣ（Integrated Circuit）チップ、ＬＳＩ（Large Scale Integration））等に形成された論理回路（ハードウェア）や専用回路によって実現してもよいし、ＣＰＵ（Central Processing Unit）を用いてソフトウェアによって実現してもよい。また、各機能部は、１または複数の集積回路により実現されてよく、複数の機能部の機能を１つの集積回路により実現されることとしてもよい。
【００６４】
サーバ１００の各機能部をソフトウェアにより実現する場合、サーバ１００または端末装置２００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、半導体メモリ、プログラマブルな論理回路などを用いることができる。また、上記プログラムは、当該プログラムを伝送可能な任意の伝送媒体（通信ネットワークや放送波等）を介して上記コンピュータに供給されてもよい。本発明は、上記プログラムが電子的な伝送によって具現化された、搬送波に埋め込まれたデータ信号の形態でも実現され得る。
【００６５】
なお、上記プログラムは、例えば、ActionScript、JavaScript（登録商標）などのスクリプト言語、Objective-C、Java（登録商標）などのオブジェクト指向プログラミング言語、HTML5などのマークアップ言語などを用いて実装できる。
【００６６】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。また、上記実施の形態に示す構成を適宜組み合わせることとしてもよい。例えば、サーバ１００の機能として説明した処理は、端末装置２００によって行われても良い。
【符号の説明】
【００６７】
１００  サーバ
１１０  通信部
１１１  受信部
１１２  送信部
１２０  記憶部
１３０  制御部
１３１  特定部
１３２  設定部
１３３  判定部
１３４  情報処理部
２００，２００Ａ，２００Ｂ，２００Ｃ  端末装置
３００  時計
４００  ネットワーク
５００  サービスシステム
２１０  通信部
２１１  受信部
２１２  送信部
２２０  記憶部
２３０  制御部
２３１  情報処理部
２３２  表示処理部
２３３  判定部
２４０  入力受付部
２５０  表示部
２５１  いいね！ボタン
２５２  コメントボタン
２５３  購入ボタン
２６０  撮像部
２７０  音声Ｉ／Ｆ
２８０  スピーカ
ＴＢＬ１０，ＴＢＬ２０  テーブル
ＰＩＣ１０〜ＰＩＣ３０  画像
１０  通知
１２  決定ボタン
１１  変更ボタン
６２０  外部メモリ
２０  表示
２１  カテゴリ一覧
２２  メッセージ
２４  ガイド
２５  メッセージ
２６  ガイド
３０  通知
４０  通知
４１，４２  ボタン
【図１】
2019028544.tif 000003
【図２】
2019028544.tif 000004
【図３】
2019028544.tif 000005
【図４】
2019028544.tif 000006
【図５】
2019028544.tif 000007
【図６】
2019028544.tif 000008
【図７】
2019028544.tif 000009
【図８】
2019028544.tif 000010
【図９】
2019028544.tif 000011